(57)【要約】      （修正有）【課題】  建築現場の高所に発生する開口空間の、梁等に架設する安全ネット用の吊金具を脚立等を用いず、下方のスラブ上より落下させることなく、撤去することが出来るネット吊金具撤去用治具を提供するものである。【解決手段】  所定の長さを有する操作棒２を設け、その上端部にネット吊金具６の圧着用ボルト９に係合するラチェット工具８を、着脱式で固定して使用することが出来るラチェット工具装着部３を操作棒２に対して垂直状態で設け、さらに操作棒２の下端に、装着されたラチェット工具８を操作することが出来るハンドル４を設け、ラチェット工具８の装着部３の下方に、操作棒２側より延設するように、先端部が輪になった投縄形状の吊金具撤去装置を設けた。【選択図】  図１
2006241951.tif 000002
【特許請求の範囲】
【請求項１】
建築現場等のスラブ開口空間を塞ぐように圧着ボルトを有するネット吊金具を介して梁等の高所に架設された安全ネット用の、ネット吊金具の撤去用治具であって、操作棒の上部にネット吊金具の圧着ボルトに係合するラチェット工具を、操作棒に対して垂直状態で着脱式に固定して設けることが出来る装着部と、梁からの圧着を解かれたネット吊金具を、梁から容易に取り外すことが出来るネット吊金具の撤去装置とを設け、さらに操作棒の下端に操作棒を操作するハンドルを設けたことを特長とするネット吊金具撤去用治具。
【請求項２】
ネット吊金具の撤去装置は投縄形状で、装着部の下方の操作棒から延設され、ネット吊金具に輪を通して引けば、絞め込んで拘束するように設けられた請求項１記載のネット吊金具撤去用治具。
【発明の詳細な説明】
【技術分野】
【０００１】  建築現場において安全上、スラブ開口空間の墜落防止用に安全ネットを、梁等にネット吊金具を介して架設する。そのネット吊金具の撤去用治具に関するものである。
【背景技術】
【０００２】  鉄骨建築工法において、墜落防止用の安全ネットを設ける方法は、開口部が発生する場所を予め予測して、地上にて、その部分のＨ型鋼の梁の下側フランジに、墜落防止用ネットを引っ掛けるように設けることが出来るネット吊金具を適当な間隔で設けて、クレーン等の重機で吊り上げて予め建てられた鉄柱を連結するように組み立てられて行き、そのつど発生するスラブ開口空間のＨ型鋼の梁上より、作業員が墜落防止用の安全ネットを梁の下側フランジに設けられた、それらのネット吊金具にスラブ開口空間を塞ぐように引っ掛ける。さらに、コンクリート打設後、床が完成すれば、不必要な墜落防止用の安全ネット及びネット吊金具を下方の床から撤去しなくてはならないのたが、この場合、通常、床から３〜４メートルの高所にある。がために、脚立等の上に立ち不安定な姿勢にて安全ネット吊金具より安全ネットを外して、ネット吊金具の圧着ボルトを緩めて外すという作業の繰り返しで、工事途中のため床の状態も悪いかな脚立等を持ち歩かなくてはならず、さらに、高層階の建てものになるとネット吊金具の数量も膨大になり大変な労力を必要とする。【０００３】  そこで、［特許第３５０５２２２号］又は、［特開２００１−１０７５６８］等の取り外し治具があるが、梁からの圧着を解かれたネット吊金具を、操作棒の操作によりラチェット工具にて梁から落下するように移動させ、下方に設けたバスケットで受け取ろうとするものだが、上手くいかない。前後、左右に小刻みに揺らすようにしないと外れない。そのような動作にて外そうとすると、予測外の方向に落下する場合があり危険を感じることがある。そのためにバスケットも大きくせざるをえない。ということは、上部の重量が増し不安定な態勢になりがちで、さらにバスケットが邪魔で見えづらいという欠点がある。【０００４】  前後、左右に小刻みに揺らすようにしないと外れない。原因は、圧着ボルトを緩めて圧着を解いていくと、構成上フック側の重量が大きくて、フック側に傾斜してボルトの下端が、傾斜による重量配分の変化により梁に噛み込んだような状態になるからである（図４参照）。
【発明の開示】
【発明が解決しょうとする課題】
【０００５】  ということは、圧着を解かれたネット吊金具を梁から撤去する場合に、ネット吊金具が傾斜しないように、梁の下フランジ面と同方向へ（水平方向）引き抜くようにすれば容易に撤去できる（図３参照）。
【発明を解決するための手段】
【０００６】  所定の長さを有する操作棒の上部、垂直方向に着脱式でラチェット工具を固定して設けることが出来る装着部を設け、さらにラチェット工具装着部の下方の操作棒に、圧着を解かれたネット吊金具のフック部分を締め付けるように拘束して、梁の下フランジ面と同方向へ引き抜くように撤去することが出来るように、操作棒から延設するように投縄形状のネット吊金具撤去用具を設け、操作棒の下端に操作ハンドルを設けた。
【発明の効果】
【０００７】  上記、構成から成るネット吊金具の撤去用治具を用いれば、工事途中のため床の状態も悪いかな脚立等を持ち歩き、脚立等の上で不安定姿勢にて作業しなくとも、床上より直接、ネット吊金具の撤去用治具にて撤去することが出来る。圧着を解かれた、ネット吊金具の梁からの撤去方法においては、バスケット方式のように見え辛く、落下してくるネット吊金具を受け損じることがなく、上部側の重量も構成上、遙るかに軽減される投縄式の撤去装置により、絞め込むように拘束されたネット吊金具を、落下させることなく確実に、安全に梁から撤去することが出来る。
工具においては、着脱可能な構成のため、通常、作業員が所持しているラチェット工具が装着出来るため、安価に提供出来る。
【発明を実施するための最良の形態】
【０００８】  以下、この発明の実施の形態を図面１に基づいて説明する。
まず、所定の長さを有する操作棒２を設け、その上端部にネット吊金具６の圧着用ボルト９に係合するラチェット工具８を、着脱式で固定して使用することが出来るラチェット工具装着部３を操作棒２に対して垂直状態で設け、さらに操作棒２の下端に、装着されたラチェット工具８を操作することが出来るハンドル４を設けた。【０００９】  又、圧着を解かれたネット吊金具６を、梁７から撤去する装置として、ラチェット工具８の装着部３の下方に、操作棒２側より延設するように、先端部が輪になった投縄形状で、弾力及び強度を有するワイヤー材質で製作された物を、安全ネット吊金具の撤去装置５として設けた。【００１０】  使用方法は、図２・３より、操作棒２に設けたネット吊金具の撤去装置５の輪の部分に、安全ネット吊金具６のネットを引っ掛けるフック部分１０を通して、操作棒２を手前に引くようにして、フック部分１０を締め込んで拘束する。次に、装着されたラチェット工具８を圧着ボルト９に係合し緩め、梁７からの圧着を解いて、ラチェット工具８の係合を外し、梁７のフランジ面１１と同方向（水平方向）へ引くように操作棒２を操作すれば容易に安全ネット吊金具６を、梁７から撤去することが出来る。【００１１】  又、ネット吊金具の基本構造は万力と同様に、全てコの字型で、梁の下フランジ１１側の一端に押し込むように挟み込んで、その上下いずれかの一方側に圧着ボルト９よを設け、さらに手前側の中央部に、ネットを引っ掛ける二つの湾曲形状のフック１０を、適当な隙間を設けるように上下にクロスして設け、ネットを外れにくくしているような構成であるので、フックとの接合部に溝のような谷間１２が発生する。その部分に、確実に撤去装置の輪を通して引き締めるように拘束することが出来る。
【図面の簡単な説明】
【００１２】
【図１】  本発明の実施形態を示す側面図
【図２】  使用方法を示す側面図
【図３】  締めるように拘束されたネット吊金具の撤去状態を示す
【図４】  梁からの圧着をとかれたネット吊金具の姿勢の変化を示す
【符号の説明】
【００１３】  １．安全ネット吊金具の撤去用治具
２．操作棒
３．ラチェット工具装着部
４．操作ハンドル
５．投縄形状のネット吊金具の撤去装置
６．安全ネット吊金具
７．鉄骨の梁
８．ラチェット工具
９．安全ネット吊金具の圧着ボルト
１０．安全ネット吊金具のネットを引っ掛ける上下にクロスしたフック部分
１１．鉄骨の梁の上下のフランジ面側を示す
１２．ラチェット工具を固定するボルト
１３．投縄形状のネット吊金具の撤去装置を通す谷間
【図１】
2006241951.tif 000003
【図２】
2006241951.tif 000004
【図３】
2006241951.tif 000005
【図４】
2006241951.tif 000006